【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
少なくとも１つのポインティング・オブジェクトを検出するタッチ・センサ上でエッジ・スワイプ・ジェスチャおよび他の接触機能の間を区別する方法であって、
（１）その周囲にエッジを有する静電容量感知式タッチ・センサを設けるステップと、
（２）前記タッチ・センサのエッジに隣接する境界領域において前記タッチ・センサにより少なくとも１つのポインティング・オブジェクトを検出するステップと、
（３）前記少なくとも１つのポインティング・オブジェクトについての指検出・位置追跡データを発生するステップと、
（４）前記指検出・位置追跡データを解析するステップであって、前記境界領域での検出の直後に前記少なくとも１つのポインティング・オブジェクトの移動の休止を示す指検出・位置追跡データは、非エッジ・スワイプ・ジェスチャとして特徴化され、前記境界領域での検出の直後に前記少なくとも１つのポインティング・オブジェクトの即時移動を示す指検出・位置追跡データが、エッジ・スワイプ・ジェスチャとして特徴化されるステップと、
を含む、方法。
【請求項２】
請求項１記載の方法において、前記指検出・位置追跡データを解析する前記ステップが、更に、エッジ・スワイプ・ジェスチャを示すために、位置データにおいて一定の上方または下方スロープを規定するステップを含む、方法。
【請求項３】
請求項２記載の方法において、前記指検出・位置追跡データを解析する前記ステップが、更に、非エッジ・スワイプ・ジェスチャを示すために、前記境界領域での検出の後に位置データの安定水準を示す指検出・位置追跡データを規定するステップを含む、方法。
【請求項４】
請求項１記載の方法であって、更に、前記タッチ・センサ上で複数のオブジェクトを検出および追跡するステップを含む、方法。
【請求項５】
請求項１記載の方法であって、更に、前記少なくとも１つのポインティング・オブジェクトが急速に移動中であるときに、前記タッチ・センサのエッジに隣接した前記境界領域を一時的に拡張するステップを含み、これにより、さもなければエッジ・スワイプ・ジェスチャとして識別されなかったであろう前記急速な移動を補償できる、方法。
【請求項６】
請求項５記載の方法であって、更に、
１）グラフ上にプロットされたときに、より低速なポインティング・オブジェクトよりも前記タッチ・センサのエッジから更に離れて最初に出現するものとして前記少なくとも１つのポインティング・オブジェクトを特徴化すること、および
２）グラフ上にプロットされたときに、より低速なポインティング・オブジェクトよりもより急な位置スロープを有するものとして前記少なくとも１つのポインティング・オブジェクトを特徴化すること、
により、急速移動を有するものとして前記少なくとも１つのポインティング・オブジェクトを特徴化するステップを含む、方法。
【請求項７】
請求項１記載の方法であって、更に、前記少なくとも１つのポインティング・オブジェクトがエッジ・スワイプ・ジェスチャを実行しているかを判定するために、位置対時間のグラフを生成するステップを含む、方法。
【請求項８】
請求項７記載の方法であって、更に、検出後の一定のスロープ、スロープの角度、前記ポインティング・オブジェクトの初期位置、および位置特性の組み合わせからなる位置特性のグループから位置特性を解析することによって、前記少なくとも１つのポインティング・オブジェクトがエッジ・スワイプ・ジェスチャを実行しているかを判定するステップを含む、方法。
【請求項９】
タッチ・センサ上でエッジ・スワイプ・ジェスチャおよび他の接触機能の間を区別するシステムであって、
その周囲にエッジを有する静電容量感知式タッチ・センサと、
前記タッチ・センサのエッジに隣接して規定される境界領域であって、当該境界領域が領域を規定し、該領域内で検出される少なくとも１つのオブジェクトがエッジ・スワイプ・ジェスチャまたは他の接触機能を実行しているかを判定するために、オブジェクトの検出が解析を要求する、境界領域と、
指検出・位置追跡データを収集するために設けられる接触機能回路であって、前記境界領域での検出の直後に前記少なくとも１つのポインティング・オブジェクトの移動の休止を示す指検出・位置追跡データが、非エッジ・スワイプ・ジェスチャとして特徴化され、前記境界領域での検出の直後に前記少なくとも１つのポインティング・オブジェクトの即時移動を示す指検出・位置追跡データが、エッジ・スワイプ・ジェスチャとして特徴化される、接触機能回路と、
を備える、システム。
【請求項１０】
請求項９記載のシステムであって、更に、前記少なくとも１つのポインティング・オブジェクトが急速に移動中であるときに前記タッチ・センサのエッジに隣接する、一時的に拡張した境界領域を備え、これにより、さもなければエッジ・スワイプ・ジェスチャとして識別されなかったであろう前記急速な移動を補償できる、システム。
【請求項１１】
タッチ・センサのエッジで検出される少なくとも１つのポインティング・オブジェクトがエッジ・スワイプ・ジェスチャまたは他の接触機能を実行しているかを判定する方法であって、
１）その周囲にエッジを有するタッチ・センサを設けるステップであって、指検出・位置追跡データを収集するステップと、
２）前記タッチ・センサのエッジに隣接する境界領域において少なくとも１つのポインティング・オブジェクトを検出するステップと、
３）前記指検出・位置追跡データを解析するステップであって、前記境界領域での検出の直後に前記少なくとも１つのポインティング・オブジェクトの移動の休止を示す指検出・位置追跡データは、非エッジ・スワイプ・ジェスチャとして特徴化され、前記境界領域での検出の直後に前記少なくとも１つのポインティング・オブジェクトの即時移動を示す指検出・位置追跡データが、エッジ・スワイプ・ジェスチャとして特徴化されるステップと、
を含む方法。
【請求項１２】
請求項１１記載の方法において、前記指検出・位置追跡データを解析する前記ステップが、更に、エッジ・スワイプ・ジェスチャを示すために、位置データにおいて一定の上方または下方スロープを規定するステップを含む、方法。
【請求項１３】
請求項１２記載の方法において、前記指検出・位置追跡データを解析する前記ステップが、更に、非エッジ・スワイプ・ジェスチャを示すために、前記境界領域での検出の後に位置データの安定水準を示す指検出・位置追跡データを規定するステップを含む、方法。
【請求項１４】
請求項１１記載の方法であって、更に、前記タッチ・センサ上で複数のオブジェクトを検出および追跡するステップを含む、方法。
【請求項１５】
請求項１１記載の方法であって、更に、前記少なくとも１つのポインティング・オブジェクトが急速に移動中であるときに前記タッチ・センサのエッジに隣接した前記境界領域を一時的に拡張するステップを含み、これにより、さもなければエッジ・スワイプ・ジェスチャとして識別されなかったであろう前記急速な移動を補償できる、方法。
【請求項１６】
請求項１５記載の方法であって、更に、
１）グラフ上にプロットされたときに、より低速なポインティング・オブジェクトよりも前記タッチ・センサのエッジから更に離れて最初に出現するものとして前記少なくとも１つのポインティング・オブジェクトを特徴化すること、および
２）グラフ上にプロットされたときに、より低速なポインティング・オブジェクトよりもより急な位置スロープを有するものとして前記少なくとも１つのポインティング・オブジェクトを特徴化すること、
により、急速移動を有するものとして前記少なくとも１つのポインティング・オブジェクトを特徴化するステップを含む、方法。
【請求項１７】
請求項１１記載の方法であって、更に、前記少なくとも１つのポインティング・オブジェクトがエッジ・スワイプ・ジェスチャを実行しているかを判定するために、位置対時間のグラフを生成するステップを含む、方法。
【請求項１８】
請求項１７記載の方法であって、更に、検出後の一定のスロープ、スロープの角度、前記ポインティング・オブジェクトの初期位置、および位置特性の組み合わせからなる位置特性のグループから位置特性を解析することによって、前記少なくとも１つのポインティング・オブジェクトがエッジ・スワイプ・ジェスチャを実行しているかを判定するステップを含む、方法。